(57)【要約】【課題】カムピンのカム溝内の摺動を円滑にし、ローラ部材の摩耗を低減させるガイド筒ユニットを提供する。【解決手段】本発明のガイド筒ユニットは、光軸を中心軸とする第１の内孔を画成する第１の環状壁を有し、該第１の環状壁にはその光軸方向の一端部から他端部にわたって複数のカム溝が形成される第１の筒状部材と、光軸を中心軸とする第２の環状壁を有し、前記第１の筒状部材に入れ子状に遊嵌した第２の筒状部材とからなり、前記第２の筒状部材には、前記第１の筒状部材のカム溝内に可動に挿通される複数のカムピンが固定され、前記カムピンの挿通端は突縁部を外周方向に伸出させ、前記カムピン先端の突縁部と固定端部の間には、その外周面が前記カム溝内の両側面とわずかに接触するよう球面状をしたローラ部材が外嵌されている。【選択図】図１
2006227576.tif 000002
【特許請求の範囲】
【請求項１】
光軸を中心軸とする第１の内孔を画成する第１の環状壁を有し、該第１の環状壁にはその光軸方向の一端部から他端部にわたって複数のカム溝が形成される第１の筒状部材と、
光軸を中心軸とする第２の環状壁を有し、前記第１の筒状部材に入れ子状に遊嵌した第２の筒状部材とからなり、前記第２の筒状部材には、前記第１の筒状部材のカム溝内に可動に挿通される複数のカムピンが固定され、前記カムピンの挿通端は突縁部を外周方向に伸出させ、前記カムピン先端の突縁部と固定端部の間には、その外周面が前記カム溝内の両側面とわずかに接触するよう球面状をしたローラ部材が外嵌されていることを特徴とするガイド筒ユニット。
【請求項２】
前記第１の筒状部材のカム溝は、螺旋状に形成される特徴とする請求項１に記載のガイド筒ユニット。
【請求項３】
前記カムピンは、前記ローラ部材との間にスリーブ部材が嵌設されていることを特徴とする請求項１に記載のガイド筒ユニット。
【請求項４】
光軸を中心軸とする第１の内孔を画成する第１の環状壁を有し、該第１の環状壁にはその光軸方向の一端部から他端部にわたって複数のカム溝が形成されたカム筒と、
光軸を中心軸とする第２の環状壁を有し、前記カム筒に入れ子状に遊嵌した固定筒と、
光軸を中心軸として前記固定筒内に保持されるレンズユニットとからなり、
前記固定筒には、前記カム筒のカム溝内に可動に挿通される複数のカムピンが固定され、
前記カムピンの挿通端は突縁部が外周方向に伸出て、前記カムピンの突縁部と固定端部の間には、その外周面が前記カム溝内の両側面とわずかに接触するよう球面状をしたローラ部材が外嵌されている
ことを特徴とする鏡筒。
【請求項５】
前記カム溝は、螺旋状に形成される特徴とする請求項４に記載の鏡筒。
【請求項６】
前記カムピンは、前記ローラ部材との間にスリーブ部材が嵌設されていることを特徴とする請求項４に記載の鏡筒。
【発明の詳細な説明】
【技術分野】
【０００１】
本発明は、摺動性がよいガイド筒ユニットに関し、特に、カメラなどの光学機器に搭載されるガイド筒ユニットをそなえた鏡筒に関する。
【背景技術】
【０００２】
図４は、少なくともカム筒１０と固定筒２０を有するガイド筒ユニットをそなえた鏡筒の構成を概略示す斜視図である。図４において、カム筒１０は光軸Ｌ１を中心軸とする円筒体であって内孔１０１を画成する周壁１０２を有し、該周壁１０２には、周方向の所定間隔をおいてカム溝１０５、１０５、１０５が周壁１０２の一端部１０３から他端部１０４にわたって螺旋状に形成されている。固定筒２０はレンズユニット２０４を保持し、カム筒１０内に遊嵌されている。おねじ付きカムピン２０２、２０２、２０２が、図５のように、符号で明示しないスリーブ部材を介して円筒状ローラ２０３に嵌設され、カム溝１０５に対応して周環溝２０１に半径方向へ開設された複数のねじ孔２０５、２０５、２０５に締付けられてなる。
【０００３】
この鏡筒は、図示しない駆動装置により駆動されると、カム筒１０がカムピン２０２即ちローラ２０３が遊挿されているカム溝１０５に沿って固定筒２に対して摺動され、レンズユニット２０４を光軸Ｌ１方向に移動させることにより、フォーカシングが行われる。
【発明の開示】
【発明が解決しようとする課題】
【０００４】
この鏡筒においてはフォーカシング動作を行うと、固定筒２０は、図５に示されるようにカムピン２０２が貫挿されたローラ２０３によってカム筒１０のカム溝１０５内を光軸Ｌ１方向に前後移動されることができるが、ローラ２０３が、カム溝１０５の長手方向の両側面１０６、１０６と線接触しながら移動するので、摩擦力が大きく、ローラ２０３が摩耗する。
【０００５】
また、図６のように、カムピン２０２がねじ孔２０５に真っ直ぐな方向から歪んでねじ込まれると、たとえレンズ２０４の光学的な不都合がなくても、ローラ２０３のカム溝１０５内の摺動に影響を来たし、がたついて円滑に行うことができず、操作性が悪い。
【０００６】
本発明は、上記問題点を解消するためになされたものであり、カムピンのカム溝内の摺動を円滑にし、ローラ部材の摩耗を低減させるガイド筒ユニットを提供することを目的とする。
【０００７】
また、他の発明は、カムピンのカム溝内の摺動を円滑にすることができ、ローラ部材の摩耗を低減させ、操作性を向上させるガイド筒ユニットを有する鏡筒を提供することを目的とする。
【課題を解決するための手段】
【０００８】
上記目的を達成すべく、本発明のガイド筒ユニットは、光軸を中心軸とする第１の内孔を画成する第１の環状壁を有し、該第１の環状壁にはその光軸方向の一端部から他端部にわたって複数のカム溝が形成される第１の筒状部材と、光軸を中心軸とする第２の環状壁を有し、前記第１の筒状部材に入れ子状に遊嵌した第２の筒状部材とからなり、前記第２の筒状部材には、前記第１の筒状部材のカム溝内に可動に挿通される複数のカムピンが固定され、前記カムピンの挿通端は突縁部を外周方向に伸出させ、前記カムピン先端の突縁部と固定端部の間には、その外周面が前記カム溝内の両側面とわずかに接触するよう球面状をしたローラ部材が外嵌されていることを特徴とする。
【０００９】
上記他の目的を達成すべく、本発明の鏡筒は、光軸を中心軸とする第１の内孔を画成する第１の環状壁を有し、該第１の環状壁にはその光軸方向の一端部から他端部にわたって複数のカム溝が形成されたカム筒と、光軸を中心軸とする第２の環状壁を有し、前記カム筒に入れ子状に遊嵌した固定筒と、光軸を中心軸として前記固定筒内に保持されるレンズユニットとからなり、前記固定筒には、前記カム筒のカム溝内に可動に挿通される複数のカムピンが固定され、前記カムピンの挿通端は突縁部が外周方向に伸出て、前記カムピンの突縁部と固定端部の間には、その外周面が前記カム溝内の両側面とわずかに接触するよう球面状をしたローラ部材が外嵌されていることを特徴とする。
【発明の効果】
【００１０】
以上の構成により、カムピンは、その外周面が球面状に形成されたローラ部材により、カム溝内にごくわずかに接触しながら摺動することにより、接触面積を小さくし、ローラ部材とカム溝の間の摩擦力を低減することができ、良好な摺動性が得られ、円滑にズーミング操作が行われ、良好なズーミング精度を図ることができる。
【発明を実施するための最良の形態】
【００１１】
以下、本発明の実施の形態例について図面を参照して説明する。なお、本実施の形態で示すガイド筒ユニットにおける構成部材である第１、２の筒状部材の例として、鏡筒を構成する部材即ちカム筒１と固定筒２を例に説明する。
【００１２】
図１は、この鏡筒の概略分解斜視図で、図２は、同鏡筒の概略組立断面図で、図３は、同鏡筒におけるカムピン２２がカム溝１２３内に挿通している状態を示す拡大切欠断面図である。
【００１３】
鏡筒は、図示の如く、レンズユニット３を収容している固定筒（第２の筒状部材）２がカム筒（第１の筒状部材）１内に入れ子状に嵌挿してなり、図示しない駆動装置によって円周沿いに駆動されると、カム筒１は固定筒２に対して回転し、レンズユニット３を光軸方向に前後移動させるズーミングを行う。なお、以下の説明においては、一点鎖線Ｌ２は本装置の光軸でもある中心軸とする。
【００１４】
カム筒１は、光軸Ｌ２を中心軸とする第１の内孔１１を画成する第１の環状壁１２を有し、該第１の環状壁１２にはその光軸方向の一端部１２１から他端部１２２にわたって複数のカム溝１２３が例えば螺旋状に形成される。
【００１５】
固定筒２は、光軸Ｌ２を中心軸とする周環溝２１１を形成した第２の環状壁２１を有し、カム筒１に入れ子状に遊嵌する。固定筒２の周環溝２１１には、カム筒１の複数のカム溝１２３に対応して複数のねじ孔２１２、２１２、２１２を開設している。
【００１６】
レンズユニット３は、１つ以上のレンズ例えばレンズ３１、３２から構成され、固定筒２内において仕切リング３３や、押えリング３４によって所定の位置に定位される。
【００１７】
固定筒２には、カム筒１の複数のカム溝１２３内に対応して挿通される複数のカムピン２２が設けられ、それぞれがねじ孔２１２にねじ込まれ固定される。カムピン２２のカム溝１２３内の挿通端部は突縁２２２を外周方向に突設し形成し、突縁２２２と固定端部２２３の間には、例えば銅製のスリーブ部材２４を介してローラ部材２３が外嵌される。ローラ部材２３は、例えばプラスチップによりつくられ、その外周面２３１が、カム溝１２３内の両側面１２４とわずかに接触するよう球面状に湾曲してなる。この例においては、カムピン２２としては、おねじが設けられた頭付きねじボルトが用いられる。
【００１８】
この鏡筒においてはフォーカシング動作を行うと、固定筒２は、図２に示されているようにカムピン２２が貫挿されたローラ２３によってカム筒１のカム溝１２３内に光軸Ｌ１方向に前後移動されるとき、ローラ２３が、カム溝１２３の両側面１２４、１２４と曲面でごくわずかに接触をしているので、従来の鏡筒における移動の接触面積よりも小さくて済み、摩擦力が小さく、円滑に摺動でき、ローラ２３の摩耗は極力低減することができる。
【００１９】
また、図３のように、カムピン２２が球面状ローラ部材２３によってねじ孔２１２に直角方向からずれてねじ込まれてでも、ローラ部材２３は球面をした外周面２３１がカム溝１２３の両側面１２４と接触する状態でカム溝１２３内に円滑に摺動するので、カムピン２２によりカム溝１２３内の摺動が突っかえて止ったりすることなく円滑に行うことができる。
【００２０】
従って、本発明のガイド筒ユニットは、ローラ部材２３の外周面２３１が球面状に形成され、カム溝１２３の両側面１２４、１２４とごくわずかに接触することでカム溝１２３内に摺動自在になるので、接触面積が小さく、円滑に摺動することができ、突っかえたりすることなく、良好な摺動性が得られる。本発明によれば、良好なズーミングの操作性及び精度、低摺動音を要求する鏡筒などに適用するが、良好な摺動性を要求する他の可動装置にも適用することができる。
【産業上の利用可能性】
【００２１】
以上の説明のように本発明によれば、わずかに接触して接触面積を小さくし、摺動性がよくズーミング操作性が向上するガイド筒ユニット及び鏡筒を実現できる。
【図面の簡単な説明】
【００２２】
【図１】本発明の実施形態である鏡筒の概略分解斜視図。
【図２】同鏡筒の組立縦断面図。
【図３】同鏡筒の一部切欠いた拡大図。
【図４】従来の鏡筒の概略分解斜視図。
【図５】同鏡筒の組立縦断面図。
【図６】同鏡筒の一部切欠いた拡大図。
【符号の説明】
【００２３】
１  カム筒（第１の筒状部材）
１１  第１の内孔
１２  第１の環状壁
１２１  一端部
１２２  他端部
１２３  カム溝
１２４  側面
２  固定筒（第２の筒状部材）
２１  第２の環状壁
２１１  周環溝
２１２  ねじ孔
２２  カムピン
２２２  突縁
２２３  固定端部
２３  ローラ部材
２３１  外周面
２４  スリーブ部材
３  レンズユニット
３１、３２  レンズ
３３  仕切リング
３４  押えリング
【図１】
2006227576.tif 000003
【図２】
2006227576.tif 000004
【図３】
2006227576.tif 000005
【図４】
2006227576.tif 000006
【図５】
2006227576.tif 000007
【図６】
2006227576.tif 000008